【事件の表示】
　平成　９年商標登録願第　２８９７１号拒絶査定に対する審判事件について、次のとおり審決する。
【結　論】
　本件審判の請求は、成り立たない。
【理　由】
第１　本願商標
　本願商標は、「アクネスポット」の片仮名文字を横書きしてなり、第３類「せっけん類，香料類，化粧品，かつら装着用接着剤，つけづめ，つけまつ毛，つけまつ毛用接着剤，歯磨き，家庭用帯電防止剤，家庭用脱脂剤，さび除去剤，染み抜きベンジン，洗濯用漂白剤，洗濯用でん粉のり，洗濯用ふのり，つや出し剤，研磨紙，研磨布，研磨用砂，人造軽石，つや出し紙，つや出し布，靴クリーム，靴墨，塗料用剥離剤」を指定商品として平成９年３月１７日に登録出願されたものである。
　
第２　原査定の拒絶の理由の要点　
　本願商標は、「アクネスポット」の文字を書してなるところ、化粧品の分野において、「アクネ」は「にきび用の」、「スポット」は「染み、汚れ」等の意味を有する外来語であり、日焼けによる染み等を防ぐスキンケアの商品（化粧水、乳液等）に「スポット化粧水」等の如く商品の品質、用途を表す語として普通に使用されていることに加え、前記商品に「スポット」の文字を複数形で表したものと理解させる「アクネスポッツ」の文字を商品の品質、用途を表す語として普通に使用されている実情にあるから、これを指定商品中、にきび用の化粧水、乳液、クリーム等に使用しても、「にきびの染みを防止する商品」等の如く理解させるにとどまり、商品の品質、用途を表示するにすぎない。
　したがって、本願商標は、商標法第３条第１項第３号に該当し、前記以外の商品に使用するときは、商品の品質の誤認を生ずるおそれがあるから、同法第４条第１項第１６号に該当する。
　
第３　請求人の主張の要点
１　請求の趣旨
　原査定を取り消す、本願商標は、登録すべきものとする旨の審決
２　請求の理由
（１）本願商標は、「アクネスポット」と表示してある造語商標であり、「にきびの染みを防止する商品」を表すものとして普通に用いられる表現ではない。
（２）原査定の認定では、本願商標を前半の「アクネ」と後半の「スポット」に分離観察しているが、分離観察すべき特別の根拠は見出し得ない。即ち、本願商標は、片仮名で同書・同大・一連に「アクネスポット」と表し、外観上はもちろん、全体の称呼もわずか７音と比較的短い音数で、称呼上も前半部と後半部に分離観察すべき必然性はない。
（３）「スポット」は、「一点、場所、地点」を意味するものであり、「スポット化粧水」を解釈すれば、一点、局部的に使用する化粧水の如く類推解釈することは可能であるが、化粧品の品質、用途を表す語として普通に使用されていることを示す用例はない。「商品の品質、用途を表す語として普通に使用されている」というためには、１、２の事例ではなく、化粧品業界において多用されていることを必要とする。
（４）以上のとおり、「アクネ」が「にきび用」の商品を表す語として使用されているとしても、「スポット」の用例はわずかに一業界紙が掲載した一企業の商品紹介記事において「スポット化粧水」として示されるにすぎず、顕著性なしとすべき根拠となし得ない。要するに、本願商標「アクネスポット」は、全体として特定の観念を有しない造語商標であり、全体を滑らかに称呼可能で、前半部と後半部に分離して観察すべき根拠はなく、自他商品識別機能を発揮し得るものである。
（５）したがって、本願商標は、商標法第３条第１項第３号、同法第４条第１項第１６号に該当しない。
３　証拠方法
　請求人は、証拠方法として甲第１号証ないし同第９号証を提出した。　
　
第４　当審における職権証拠調べ結果通知　
　本件審判事件について、当審において職権に基づく証拠調べをした結果、本願商標が商標法第３条第１項第３号、同法第４条第１項第１６号に該当すると認められる下記の証拠を発見したので、商標法第５６条第１項において準用する特許法第１５０条第５項により、その旨を請求人に通知し、相当の期間を指定して、意見を述べる機会を与えた。
　　　　　　　　　　　　　　　記
１　お悩み相談室新回答編（インターネット　ホームページ）
２　口コミスキンケア情報（インターネット　ホームページ）
３　株式会社ＮＡＣー保湿ケアー（インターネット　ホームページ）
４　アットコスメ　商品詳細（インターネット　ホームページ）
５　新聞「週間粧業」１９８８年３月２１日発行
６　新聞「週間粧業」昭和６２年１月２６日発行
７  新聞「週間粧業」昭和５４年１０月２２日発行
　添付資料
　上記１ないし３の書証の写し      各１通
　
第５　請求人の意見の要点
　職権証拠調べの書証１ないし４において「アクネスポット」の表示が見られるが、「アクネ」は「ａｃｎｅ」、即ち「にきび」に通じるとしても、「スポット」の意味は多様性を有しており、「アクネスポット」を「アクネ　＝ニキビ」「スポット＝染み、吹き出物」と解した場合、同じような表現を繰り返していることになり、その意味するところは不明である。また、同書証５ないし７で示される事例は、本願商標とは事例を異にしている。したがって、本願商標が商標法第３条第１項第３号、同法第４条第１項第１６号に該当する証拠にはなり得ない。
　
第６　当審の判断
１　本願商標の識別性について
（１）本願商標は、「アクネスポット」の片仮名文字を横書きしてなるものであり、「アクネ」と「スポット」の語を結合したものであって、「アクネ」の語が「ａｃｎｅ」即ち「にきび」を意味する語であることは請求人も争わないところである。
　そして、「アクネ」と「スポット」の語について検討するに、当審において職権証拠調べをした結果、本願商標の指定商品を扱う化粧品業界においては、上記第４に示した「お悩み相談室新回答編」によれば、「薬用アダルトアクネスポット」と記載されていること、同じく「株式会社ＮＡＣー保湿ケアー」によれば、「脂性肌（特にアクネスポット）」「脂性肌のトラブルスポットに使用する専用美容液です。」と記載されていること、同じく新聞「週間粧業」（１９８８年３月２１日発行）によれば、「カネボウ　アクネシリーズを発売」と題して「肌の悩み別のオプションスキンケアとしては、スポット化粧水。」と記載されていること、同じく新聞「週間粧業」（昭和５４年１０月２２日発行）によれば、「伸びるアクネ用製品」と題して「スポッツクリーム」と記載されていることが認められる。
　上記証拠よりすると、「アクネスポット」又は「にきび（アクネ）用製品」における「スポット」又は「スポッツ」の語は、「にきび（アクネ）の生ずる点、場所」を意味する語として、化粧品業界において使用されている語であることは明らかである。
　そうすると、本願商標「アクネスポット」は、これをその指定商品「化粧品」中例えば「にきびのトラブルスポットに使用する専用美容液又はクリーム」などに使用するときは、商品の用途、品質を表示したものであり、それ以外の「化粧品」に使用したときは商品の品質について誤認を生ずるおそれがあるものである。
（２）請求人は、『本願商標「アクネスポット」は、全体として特定の観念を有しない造語商標であり、全体を滑らかに称呼可能で、前半部と後半部に分離して観察すべき根拠はなく、自他商品識別機能を発揮し得るものである』旨主張するが、本願商標については前記（１）において認定したとおりのものであり、これに反する請求人の主張は採用することができない。
２　結語
　以上のとおりであり、本願商標は商標法第３条第１項第３号、同法第４条第１項第１６号に該当するものであるから、本願を拒絶した原査定は、取り消すべき限りでない。
　よって、結論のとおり審決する。